(57)【特許請求の範囲】
【請求項１】
紙媒体に印刷するデザインが作成される端末装置及び紙媒体への印刷を実行するプリンタと通信可能なサーバであって、
前記端末装置により作成されたデザインに関し、紙媒体に印刷するための第１印刷データをインターセプトすることで取得する第１印刷データ取得手段と、
前記第１印刷データを、カーボンを含まないＣＭＹの混色で表現するように調整した画像データに変換する画像データ変換手段と、
前記画像データに、各画像データを識別可能な画像識別情報を付与する画像識別情報付与手段と、
電子ペンに認識可能なドットパターンを取得し、前記画像データに割り当てるドットパターン割当手段と、
前記画像識別情報付与手段が付与した画像識別情報と、前記ドットパターン割当手段が割り当てたドットパターンの座標情報とを対応付けたアドレス情報を記憶するアドレス情報記憶手段と、
前記画像データ変換手段が変換した画像データと、前記ドットパターン割当手段が割り当てたドットパターンとに基づいて、前記端末装置により作成されたデザインについてはカーボンを含まないＣＭＹにより、当該ドットパターンについてはカーボンを含むＫにより、紙媒体に印刷するための第２印刷データを作成する第２印刷データ作成手段と、
前記第２印刷データを前記プリンタへ送信する第２印刷データ送信手段と、を備えることを特徴とするサーバ。
【請求項２】
前記画像データ変換手段は、前記第１印刷データを、カーボンを含まないＣＭＹの混色で表現するように調整したうえで、ＥＰＳフォーマットに変換し、
前記第２印刷データ作成手段は、前記第２印刷データをＰＳフォーマットで作成することを特徴とする請求項１に記載のサーバ。
【請求項３】
紙媒体に印刷するデザインを作成する端末装置及び紙媒体への印刷を実行するプリンタと通信可能なコンピュータにより実行されるプログラムであって、
前記端末装置が作成したデザインに関し、紙媒体に印刷するための第１印刷データをインターセプトすることで取得する第１印刷データ取得手段、
前記第１印刷データを、カーボンを含まないＣＭＹの混色で表現するように調整した画像データに変換する画像データ変換手段、
前記画像データに、各画像データを識別可能な画像識別情報を付与する画像識別情報付与手段、
電子ペンに認識可能なドットパターンを取得し、前記画像データに割り当てるドットパターン割当手段、
前記画像識別情報付与手段が付与した画像識別情報と、前記ドットパターン割当手段が割り当てたドットパターンの座標情報とを対応付けたアドレス情報を記憶するアドレス情報記憶手段、
前記画像データ変換手段が変換した画像データと、前記ドットパターン割当手段が割り当てたドットパターンとに基づいて、前記端末装置が作成したデザインについてはカーボンを含まないＣＭＹにより、当該ドットパターンについてはカーボンを含むＫにより、紙媒体に印刷するための第２印刷データを作成する第２印刷データ作成手段、
前記第２印刷データを前記プリンタへ送信する第２印刷データ送信手段、として前記コンピュータを機能させることを特徴とするプログラム。
【請求項４】
紙媒体に印刷するデザインが作成される端末装置と、電子ペンにより認識可能なドットパターンを割り当てるサーバと、紙媒体への印刷を実行するプリンタとから構成され、前記ドットパターンが印刷された紙媒体である電子ペン用帳票を製造する電子ペン用帳票製造システムであって、
前記端末装置は、
作成されたデザインに基づいて、紙媒体に印刷するための第１印刷データを作成する第１印刷データ作成手段と、
前記第１印刷データを前記プリンタへ送信する第１印刷データ送信手段と、を備え、
前記サーバは、
前記端末装置が前記プリンタに送信した第１印刷データをインターセプトすることで取得する第１印刷データ取得手段と、
前記第１印刷データを、カーボンを含まないＣＭＹの混色で表現するように調整した画像データに変換する画像データ変換手段と、
前記画像データに、各画像データを識別可能な画像識別情報を付与する画像識別情報付与手段と、
前記ドットパターンを取得し、前記画像データに割り当てるドットパターン割当手段と、
前記画像識別情報付与手段が付与した画像識別情報と、前記ドットパターン割当手段が割り当てたドットパターンの座標情報とを対応付けたアドレス情報を記憶するアドレス情報記憶手段と、
前記画像データ変換手段が変換した画像データと、前記ドットパターン割当手段が割り当てたドットパターンとに基づいて、前記端末装置により作成されたデザインについてはカーボンを含まないＣＭＹにより、当該ドットパターンについてはカーボンを含むＫにより、紙媒体に印刷するための第２印刷データを作成する第２印刷データ作成手段と、
前記第２印刷データを前記プリンタへ送信する第２印刷データ送信手段と、
前記プリンタは、
前記サーバから前記第２印刷データを取得する第２印刷データ取得手段と、
前記第２印刷データに基づいて紙媒体への印刷を実行することで電子ペン用帳票を製造する電子ペン用帳票製造手段と、備えることを特徴とする電子ペン用帳票製造システム。
【発明の詳細な説明】
【技術分野】
【０００１】
本発明は、電子ペン用帳票の製造技術に関する。
【背景技術】
【０００２】
近年、「電子ペン」、「デジタルペン」などと呼ばれるペン型入力デバイスが登場しており（以下、本明細書では「電子ペン」と呼ぶ。）、その代表的なものとしてスウェーデンのAnoto社が開発した「アノトペン（Anoto pen）」が知られている。アノトペンは、所定のドットパターンが印刷された専用紙（以下、「専用ペーパー」と呼ぶ。）とペアで使用される。アノトペンは、通常のインクタイプのペン先部に加えて、専用紙上のドットパターンを読み取るための小型カメラと、データ通信ユニットを搭載している。利用者が専用紙上にアノトペンで文字などを書いたり、専用紙上に図案化されている画像をチェックしたりすると、ペンの移動に伴って小型カメラが専用紙上のドットパターンを検出し、利用者が書き込んだ文字、画像などの記入情報（「ストロークデータ」ともいう）が取得される。この記入情報が、データ通信ユニットによりアノトペンから近くのパーソナルコンピュータや携帯電話などの端末装置に送信される。このアノトペンを利用したシステムは、キーボードに代わる入力デバイスとして利用することが可能であり、上述のパーソナルコンピュータやキーボードの使用に抵抗がある利用者にとっては非常に使いやすい。そのため、現在、このような電子ペンを利用したシステムが普及しつつある（例えば、特許文献１）。
【０００３】
従来から、電子ペンが紙媒体をユニークに識別できるよう、１枚１枚に異なるドットパターンを割り当てて出力するプリントオンデマンドシステムが提案されている。しかし、従来のシステムは、紙媒体の背景となるデザインを予め登録する必要があり、システム管理者ではない一般の利用者が独自に設計したデザインの紙媒体にドットパターンを割り当てて出力することは困難であった。
【０００４】
【特許文献１】特開２００４−１５３６１２号公報
【発明の開示】
【発明が解決しようとする課題】
【０００５】
本発明は、以上の点に鑑みてなされたものであり、一般利用者がシステムの仕組みを理解することなく、設計したデザインに基づいてドットパターンが印刷された電子ペン用帳票を容易に製造することができる製造システムを提供することを課題とする。
【課題を解決するための手段】
【０００６】
本発明の１つの観点では、紙媒体に印刷するデザインが作成される端末装置及び紙媒体への印刷を実行するプリンタと通信可能なサーバであって、前記端末装置により作成されたデザインに関し、紙媒体に印刷するための第１印刷データをインターセプトすることで取得する第１印刷データ取得手段と、前記第１印刷データを、カーボンを含まないＣＭＹの混色で表現するように調整した画像データに変換する画像データ変換手段と、前記画像データに、各画像データを識別可能な画像識別情報を付与する画像識別情報付与手段と、電子ペンに認識可能なドットパターンを取得し、前記画像データに割り当てるドットパターン割当手段と、前記画像識別情報付与手段が付与した画像識別情報と、前記ドットパターン割当手段が割り当てたドットパターンの座標情報とを対応付けたアドレス情報を記憶するアドレス情報記憶手段と、前記画像データ変換手段が変換した画像データと、前記ドットパターン割当手段が割り当てたドットパターンとに基づいて、前記端末装置により作成されたデザインについてはカーボンを含まないＣＭＹにより、当該ドットパターンについてはカーボンを含むＫにより、紙媒体に印刷するための第２印刷データを作成する第２印刷データ作成手段と、前記第２印刷データを前記プリンタへ送信する第２印刷データ送信手段と、を備える。
【０００７】
上記のように構成されたサーバは、利用者により紙媒体に印刷するデザインが作成される端末装置及び紙媒体への印刷を実行するプリンタと通信可能に接続されている。利用者は、まず、端末装置を使用して紙媒体に印刷する、即ち製造する電子ペン用帳票に印刷される絵柄・図柄のデザインを作成する。端末装置とは、利用者が電子ペン用帳票に印刷するデザインを作成する装置であり、予め任意のアプリケーションソフトを有しているものとする。アプリケーションソフトとは、例えばＣＡＤ（Computer Aided Design）ソフトをはじめとする図面や設計図を作成するソフトウェアのことである。利用者は、デザインの作成が完了すると、所定の操作により印刷を実行する。すると、端末装置は、利用者により作成されたデザインに関し、紙媒体に印刷するための第１印刷データをプリンタへ送信する。このとき、サーバは、端末装置がプリンタへ送信した第１印刷データをインターセプトすることにより取得する。さらに、サーバは、取得した第１印刷データを、当該サーバが認識可能なフォーマット等に変換することで画像データを作成する。即ち、第１印刷データを画像データに変換する。詳しくは、サーバは、第１印刷データを、カーボンを含まないＣＭＹの混色で表現するように調整した画像データに変換する。そして、サーバは、画像データに画像ＩＤを付与すると共に、当該画像データにドットパターンを割り当てる。各画像データに付与された画像ＩＤと、割り当てられたドットパターンの位置座標を示す座標情報は対応付けされ、アドレス情報としてサーバに記憶される。さらに、サーバは、画像データ及びドットパターンに基づいて、利用者が作成したデザインに関し、紙媒体に印刷するための第２印刷データを作成する。この場合、デザインについてはカーボンを含まないＣＭＹによって印刷され、ドットパターンについてはカーボンを含むＫによって印刷されるような第２印刷データを作成する。そして、サーバは、第２印刷データをプリンタへ送信する。プリンタは、第２印刷データに基づいて、利用者が作成したデザインと、割り当てられたドットパターンとを紙媒体に印刷することで電子ペン用帳票を製造する。
【０００８】
このように、本発明のサーバによれば、一般利用者は詳しい仕組みを理解することなく、自身が作成した１点もののデザインに基づく電子ペン用帳票を容易に製造することができる。さらに、電子ペン用帳票の製造に使用する機能は、ほぼ全てのソフトウェアが有する印刷機能を流用するため、アプリケーションの種類毎に対応する必要がなく、汎用的に適用することができる。また、サーバに記憶されたアドレス情報に基づいて、電子ペンにより電子ペン用帳票に記入された内容を、デザインに容易に反映させることが可能となる。
【０００９】
上記サーバの他の一態様では、前記画像データ変換手段は、前記第１印刷データを、カーボンを含まないＣＭＹの混色で表現するように調整したうえで、ＥＰＳフォーマットに変換し、前記第２印刷データ作成手段は、前記第２印刷データをＰＳフォーマットで作成する。電子ペンはカーボンを含むインキを認識してしまうため、このように色調整を行うことで、電子ペンは、記入内容やドットパターンの座標情報を的確に認識することが可能となる。
【００１０】
本発明の別の観点では、紙媒体に印刷するデザインを作成する端末装置及び紙媒体への印刷を実行するプリンタと通信可能なコンピュータにより実行されるプログラムであって、前記端末装置が作成したデザインに関し、紙媒体に印刷するための第１印刷データをインターセプトすることで取得する第１印刷データ取得手段、前記第１印刷データを、カーボンを含まないＣＭＹの混色で表現するように調整した画像データに変換する画像データ変換手段、前記画像データに、各画像データを識別可能な画像識別情報を付与する画像識別情報付与手段、電子ペンに認識可能なドットパターンを取得し、前記画像データに割り当てるドットパターン割当手段、前記画像識別情報付与手段が付与した画像識別情報と、前記ドットパターン割当手段が割り当てたドットパターンの座標情報とを対応付けたアドレス情報を記憶するアドレス情報記憶手段、前記画像データ変換手段が変換した画像データと、前記ドットパターン割当手段が割り当てたドットパターンとに基づいて、前記端末装置が作成したデザインについてはカーボンを含まないＣＭＹにより、当該ドットパターンについてはカーボンを含むＫにより、紙媒体に印刷するための第２印刷データを作成する第２印刷データ作成手段、前記第２印刷データを前記プリンタへ送信する第２印刷データ送信手段、として前記コンピュータを機能させる。
【００１１】
上記プログラムをコンピュータにより実行することで、上述のサーバを実現することができる。また、上述のサーバの各態様も同様に実現することができる。
【００１２】
本発明のさらに別の観点では、紙媒体に印刷するデザインが作成される端末装置と、電子ペンにより認識可能なドットパターンを割り当てるサーバと、紙媒体への印刷を実行するプリンタとから構成され、前記ドットパターンが印刷された紙媒体である電子ペン用帳票を製造する電子ペン用帳票製造システムであって、前記端末装置は、作成されたデザインに基づいて、紙媒体に印刷するための第１印刷データを作成する第１印刷データ作成手段と、前記第１印刷データを前記プリンタへ送信する第１印刷データ送信手段と、を備え、前記サーバは、前記端末装置が前記プリンタに送信した第１印刷データをインターセプトすることで取得する第１印刷データ取得手段と、前記第１印刷データを、カーボンを含まないＣＭＹの混色で表現するように調整した画像データに変換する画像データ変換手段と、前記画像データに、各画像データを識別可能な画像識別情報を付与する画像識別情報付与手段と、前記ドットパターンを取得し、前記画像データに割り当てるドットパターン割当手段と、前記画像識別情報付与手段が付与した画像識別情報と、前記ドットパターン割当手段が割り当てたドットパターンの座標情報とを対応付けたアドレス情報を記憶するアドレス情報記憶手段と、前記画像データ変換手段が変換した画像データと、前記ドットパターン割当手段が割り当てたドットパターンとに基づいて、前記端末装置により作成されたデザインについてはカーボンを含まないＣＭＹにより、当該ドットパターンについてはカーボンを含むＫにより、紙媒体に印刷するための第２印刷データを作成する第２印刷データ作成手段と、前記第２印刷データを前記プリンタへ送信する第２印刷データ送信手段と、前記プリンタは、前記サーバから前記第２印刷データを取得する第２印刷データ取得手段と、前記第２印刷データに基づいて紙媒体への印刷を実行することで電子ペン用帳票を製造する電子ペン用帳票製造手段と、備える。
【００１３】
上記のように構成された製造システムによれば、利用者は、まず、端末装置を使用して紙媒体に印刷するデザインを作成する。利用者は、デザインの作成が完了すると、所定の操作により印刷を実行する。すると、端末装置は、利用者により作成されたデザインに関し、紙媒体に印刷するための第１印刷データをプリンタへ送信する。このとき、サーバは、端末装置がプリンタへ送信した第１印刷データをインターセプトすることにより取得する。さらに、サーバは、取得した第１印刷データを、当該サーバが認識可能なフォーマット等に変換することで画像データを作成する。即ち、第１印刷データを画像データに変換する。詳しくは、サーバは、第１印刷データを、カーボンを含まないＣＭＹの混色で表現するように調整した画像データに変換する。そして、サーバは、画像データに画像ＩＤを付与すると共に、当該画像データにドットパターンを割り当てる。各画像データに付与された画像ＩＤと、割り当てられたドットパターンの位置座標を示す座標情報は対応付けされ、アドレス情報としてサーバに記憶される。さらに、サーバは、画像データ及びドットパターンに基づいて、利用者が作成したデザインに関し、紙媒体に印刷するための第２印刷データを作成する。この場合、デザインについてはカーボンを含まないＣＭＹによって印刷され、ドットパターンについてはカーボンを含むＫによって印刷されるような第２印刷データを作成する。そして、サーバは、第２印刷データをプリンタへ送信する。プリンタは、第２印刷データに基づいて、利用者が作成したデザインと、割り当てられたドットパターンとを紙媒体に印刷することで電子ペン用帳票を製造する。これによれば、一般利用者は詳しい仕組みを理解することなく、自身が作成した１点もののデザインに基づく電子ペン用帳票を容易に製造することが可能となる。
【発明の効果】
【００１４】
本発明によれば、一般利用者は、システムの仕組みを理解することなく、作成したデザインに基づいてドットパターンが印刷された電子ペン用帳票を容易に製造することができる。
【発明を実施するための最良の形態】
【００１５】
以下、図面を参照して本発明の好適な実施の形態について説明する。まず、本実施形態のシステムにおいて入力デバイスとして使用される電子ペンの概要について説明する。
【００１６】
［電子ペン］
図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００１７】
図２に示すように、電子ペン１０は、その内部にプロセッサ１１、メモリ１２、データ通信ユニット１３、バッテリー１４、ＬＥＤ１５、カメラ１６及び圧力センサ１８を備える。また、電子ペン１０は通常のインクペンと同様の構成要素としてインクカートリッジ（図示せず）などを有する。
【００１８】
電子ペン１０は、ペン先部１７により専用ペーパー２０上に描かれたインクの軌跡をデータ化するのではなく、専用ペーパー２０上で電子ペン１０が移動した軌跡座標をデータ化する。ＬＥＤ１５が専用ペーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークを画像データ又はベクトルデータとして取得することができる。
【００１９】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、ＬＥＤ１５及びカメラ１６を作動する。
【００２０】
カメラ１６は専用ペーパー２０上のドットパターンを読み取り、そのパターンデータをプロセッサ１１に供給する。プロセッサ１１は、供給されたドットパターンから、専用ペーパー２０上でのＸ，Ｙ座標を算出する。
【００２１】
プロセッサ１１は、利用者の記述が行われる間に、筆圧の配列データ及びＸ，Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００２２】
利用者により送信指示がなされるまでは、取得された全てのデータはメモリ１２内に保持される。そして、利用者が送信指示を行うと、データ通信ユニット１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００２３】
送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、データ通信ユニット１３にメモリ１２内のデータを供給し、端末装置２５への送信を行わせる。なお、電子ペン１０は、データの送信完了を電子ペンの振動により示すことができる。また、電子ペン１０自体が、送信機能を搭載していることとしてもよい。
【００２４】
バッテリー１４は電子ペン１０内の各要素に電源供給するためのものであり、例えば電子ペンのキャップ（図示せず）により電子ペン１０自体の電源のオン／オフを行うことができる。
【００２５】
このように、電子ペン１０は利用者が専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００２６】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。
【００２７】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、emailアドレス、空きメモリ容量、名称、住所、ファックス／電話番号、携帯電話番号などを保持することができる。
【００２８】
なお、上記の例におけるデータ通信ユニット１３では、Bluetooth（登録商標）の無線伝送、ＵＳＢケーブルを使用した有線伝送、端子などの接触によるデータ伝送など、各種の方法によって電子ペン１０から端末装置２５へのデータ送信を行うことが考えられる。
【００２９】
次に、電子ペンにより利用者が記述した内容のＸ，Ｙ座標データを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、ＬＥＤ１５による照明エリア及びカメラ１６の撮影エリア（照明エリア内に位置する）は、ペン先部１７が専用ペーパー２０に接触する位置とはずれている。
【００３０】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申込書などの帳票を作成する際は、専用インキ以外のインキで入力枠や罫線、注意書きなどを印刷する。
【００３１】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組合せにより、専用ペーパー上の位置座標が決定される。図４（ａ）に例示するように、縦横２mmの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２mm×２mmであり、カメラ１６は毎秒１００回程度の撮影を行う。
【００３２】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００３３】
図案３４の例を図６に示す。図６は、ある申込書３６の例であり、複数の記入欄３８や送信ボックス３９が印刷されている。図６には明確に図示されておらず、詳細は後述するが、実際にはドットパターンが申込書３６の全面に印刷されており、その上に記入欄３８や送信ボックス３９が通常のインキにより印刷されている。利用者は、ドットパターンを意識することなく、従来からある申込書と同様に、電子ペン１０を使用して必要事項を申込書３６の各記入欄３８に記入すればよい。
【００３４】
専用ペーパー２０上のエリアは大きく２種類のエリアに分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００３５】
送信ボックス３９は前述したように電子ペン１０内に記憶されているデータを近傍の端末装置２５へ送信するための指示を行う際に使用される。利用者が送信ボックス３９内に電子ペン１０でチェックを入れると、電子ペン１０が送信ボックス内のドットパターンを読み取る。当該パターンは送信指示に対応付けられており、電子ペン１０内のプロセッサ１１はデータ通信ユニット１３にメモリ１２内の記憶データの送信命令を発する。
【００３６】
なお、利用者が電子ペン１０で申込書３６に必要事項を入力すると、その入力事項がその申込書のどの項目に対するものであるかを、申込書上の座標データから特定することが可能である。
【００３７】
このように、ドットパターンを印刷した専用ペーパー上に所定の図案を印刷することにより、専用ペーパーを利用した各種申込書が作成できる。利用者は電子ペン１０を使用して通常の要領で必要事項を記入すれば、その電子データが自動的に取得される。
【００３８】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。
【００３９】
なお、本明細書においては、「印刷」の語は、通常の印刷のみならず、プリンタによるプリントも含む概念とする。また、本明細書においては、通常の「オフセット印刷」は行わず、プリンタによる「プリンタ印刷」を行うものとする。
【００４０】
次に、電子ペンにより取得したデータの送信処理について図２を参照して説明する。電子ペン１０が取得したデータは、主として利用者が入力した事項のデータであるが、通常はそのデータの送信先であるサービスサーバがどこであるかの情報は含まれていない。その代わりに、その専用ペーパーに関するアプリケーションやサービスを特定する情報が専用ペーパー上のドットパターンに含まれており、利用者の入力作業中に専用ペーパーからその情報が取得されている。よって、電子ペン１０から専用ペーパーへの記入情報を受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した記入情報をそのサービスサーバ２７へ送信することになる。
【００４１】
なお、上記の例では端末装置２５、問い合わせサーバ２６及びサービスサーバ２７が別個に構成されているが、これらの幾つか又は全てを１つの装置として構成することも可能である。本実施形態において、後述する校正サーバ７０は、問い合わせサーバ２６及びサービスサーバ２７の機能を包含しているものとする。
【００４２】
[製造システム]
次に、本実施形態の製造システムについて説明する。図７に本実施形態の製造システム１００の概略構成を示す。製造システム１００とは、利用者が設計したデザインと、電子ペン１０が認識可能なドットパターンとを通常の紙媒体に印刷することで電子ペン用帳票を製造するシステムである。電子ペン用帳票は、上述の専用ペーパーである。
【００４３】
図示のように、製造システム１００は、端末装置５０、ＰＯＤ（プリントオンデマンド）サーバ６０及びプリンタ５２が通信可能に接続されることにより構成される。設計端末５０とは、利用者が電子ペン用帳票に印刷するデザインを設計する端末装置であり、予め任意のアプリケーションソフトを有しているものとする。アプリケーションソフトとは、例えばＣＡＤ（Computer Aided Design）ソフトをはじめとする図面や設計図を作成するソフトウェアのことである。また、ＰＯＤサーバ６０は、設計端末５０が設計したデザインに対応する画像データに、電子ペン１０が認識可能なドットパターンを割り当てると共に、画像データとドットパターンとの関係をアドレス情報として記憶するサーバである。ＰＯＤサーバ６０は、ドットパターンデータベース（以下、「ＤＢ」と呼ぶ。）６２及びアドレス情報ＤＢ６４に接続されている。
【００４４】
ここで、図７及び図８を参照して、本システムによる電子ペン用帳票製造方法の概要を述べておく。図８は、設計端末５０を使用して利用者が設計したデザインの例である。
【００４５】
なお、本実施形態のプリンタ５２は、ドットパターンを、電子ペン１０が認識可能なカーボンを含む専用インキなどで印刷する。一方、ドットパターン以外のデザイン（絵柄や図柄）を、電子ペン１０が認識不可能なカーボンを含まないインキ、即ち専用インキ以外のインキで印刷する。具体的に本実施形態では、ドットパターンをカーボンが含まれている黒色インキ（Ｋ）で印刷し、絵柄等を黒以外のインキ（ＣＭＹ）で印刷する。よって、本実施形態で使用するプリンタ５２は、モノクロプリンタではなく、カラープリンタであるとする。
【００４６】
製造システム１００において、利用者は、まず設計端末５０を使用して図８に示すようなデザインを設計する。つまり、プリンタ５２により紙媒体に印刷するデザインを設計する。設計が完了すると、利用者は、所定の操作により印刷メニューから設計したデザインを印刷する。このとき、設計端末５０は、利用者が設計したデザインを印刷するための第１印刷データを作成し、プリンタ５２に送信する。
【００４７】
ＰＯＤサーバ６０はドットパターン自動合成ドライバにより、設計端末５０がプリンタ５２に送信した第１印刷データを、インターセプトすることで取得する。本実施形態において、ＰＯＤサーバ６０は、プリンタドライバを有しているものとする。ＰＯＤサーバ６０は、取得した第１印刷データを、自身が認識可能な画像データに変換する。具体的に第１印刷データは画像データとして、ＥＰＳフォーマット等に変換される。さらに、ＰＯＤサーバ６０は、画像データ中で使用されている黒色（Ｋ）をＣＭＹ混色で表現するように色調整を行う。これは、電子ペン１０がカーボンを含むインキを認識するため、ドットパターン以外のデザインでカーボンを含む黒色（Ｋ）を使用することができないためである。
【００４８】
画像データへの変換が完了したＰＯＤサーバ６０は、画像データに画像ＩＤを付与する。画像ＩＤとは、各画像データを識別するための情報である。そして、ＰＯＤサーバ６０は、ドットパターンＤＢ６２からドットパターンを抽出し、画像データに割り当てる。このとき、ＰＯＤサーバ６０は、画像データの画像ＩＤと、割り当てたドットパターンの座標に関する座標データとを対応付けたアドレス情報を作成し、アドレス情報ＤＢ６４に記憶する。さらに、ＰＯＤサーバ６０は、第１印刷データを変換した画像データと、割り当てたドットパターンとに基づいて、画像データについてはカーボンを含まないＣＭＹにより、ドットパターンについてはカーボンを含むＫにより紙媒体に印刷するための第２印刷データを作成し、プリンタ５２に送信する。
【００４９】
プリンタ５２は、第２印刷データに基づいて紙媒体への印刷を実行する。具体的には、第２印刷データが有する画像データ及びドットパターンを紙媒体へ印刷することで、図８に示すようなデザインが印刷された電子ペン用帳票を製造する。
【００５０】
[校正システム]
次に、上述のような製造システム１００により製造された電子ペン用帳票を使用した校正システムについて説明する。図９に、本実施形態の校正システム１００の概略構成を示す。校正システム１００とは、デザイナである利用者Ａが製造した設計図である電子ペン用帳票３に、クライアント等である利用者Ｂが電子ペン１０で校正した内容を容易に反映させることができるシステムである。
【００５１】
図示のように、校正システム２００は、端末装置２５、ＰＯＤサーバ６０及び校正サーバ７０がネットワーク２を介して通信可能に接続されることにより構成される。端末装置２５とは、上述のように、電子ペン１０から記入情報を取得し、校正サーバ７０へ送信するパーソナルコンピュータや携帯電話等である。校正サーバ７０は、端末装置２５から取得した記入情報と、ＰＯＤサーバ６０に接続されたアドレス情報ＤＢ６４から抽出したアドレス情報とに基づいて、校正内容を反映させるサーバである。ＰＯＤサーバ６０については上述したため、便宜上説明を省略する。
【００５２】
なお、電子ペン用帳票３は、製造システム１００により製造されたものであるため、予め対応するアドレス情報がアドレス情報ＤＢ６４に記憶されているものとする。
【００５３】
ここで、本システムによる校正内容反映方法の概要を述べておく。デザイナである利用者Ａは、まず、製造システム１００により自身が設計した設計図が印刷された電子ペン用帳票３を製造する。クライアント等である利用者Ｂは、電子ペン用帳票３に電子ペン１０で記入することにより設計図の校正を行う。校正が完了すると、利用者Ｂは、電子ペン１０に格納された記入情報を、端末装置２５を介して校正サーバ７０へ送信する。
【００５４】
校正サーバ７０は、電子ペン１０から取得した記入情報から、電子ペン用帳票３に印刷されたドットパターンの座標データを抽出する。さらに、校正サーバ７０は、抽出した座標データに基づき、ネットワーク２を介して、ＰＯＤサーバ６０のアドレス情報ＤＢ６４から対応するアドレス情報を抽出する。このアドレス情報により、校正サーバ７０は、電子ペン用帳票３に印刷された設計図に対応する画像データの画像ＩＤを特定することができる。よって、校正サーバ７０は、特定された画像ＩＤに基づいて画像データを取得し、記入情報に基づいて当該画像データに校正内容を容易に反映させることができる。
【００５５】
なお、画像データは、画像ＩＤ及び座標データに対応付けてアドレス情報ＤＢ６４に格納しておくこととしてもよいし、校正サーバ７０に予め画像ＩＤに対応付けて記憶しておくこととしてもよい。
【００５６】
また、本実施形態では、校正システム２００として、校正内容を記入情報及びアドレス情報に基づいて自動的に反映させることとしているが、本発明はこれに限定されるものではなく、記入情報をデザイナである利用者Ａに送信し、人為的に設計図に反映させることとしてもよい。
【００５７】
このように、本実施形態の製造システム１００が製造した電子ペン用帳票によれば、当該電子ペン用帳票に電子ペン１０で校正を行うことで、校正内容を自動的に短時間で反映させることができる。また、人為的に校正内容を反映させる場合であっても、記入情報は電子データであるため、反映時間を大幅に短縮させることができる。
【００５８】
[ＰＯＤサーバ]
次に、ＰＯＤサーバ６０について詳しく説明する。図１０は、製造システム１００における、特に製造システム６０の内部構成を示す。図示のように、ＰＯＤサーバ６０は、電子ペン用帳票製造プログラム１０１、第１印刷データ取得機能１０２、画像データ変換機能１０３、画像ＩＤ付与機能１０４、ドットパターン割当機能１０５、アドレス情報記憶機能１０６、第２印刷データ作成機能１０７を有する。なお、各機能は、ＰＯＤサーバ６０が有するＣＰＵが予め用意されたプログラムを実行することにより実現される。
【００５９】
電子ペン用帳票製造プログラム１０１は、インターセプトした第１印刷データを画像データに変換した上でドットパターンを割り当て、第２印刷データを作成するプログラムである。また、電子ペン用帳票製造プログラム１０１は、画像データとドットパターンとの関係をアドレス情報としてアドレス情報ＤＢ６４に記憶するプログラムである。
【００６０】
第１印刷データ取得機能１０２は、設計端末５０がプリンタ５２に送信した第１印刷データをインターセプトすることにより取得する機能である。
【００６１】
画像データ変換機能１０３は、第１印刷データをＰＯＤサーバ６０が認識可能な画像データに変換する機能である。具体的に、画像データ変換機能１０３は、まず、第１印刷データをＥＰＳフォーマットの画像データに変換する。また、画像データ変換機能１０３は、画像の中で使用されている黒色（Ｋ）をＣＭＹ混色で表現するように色調整を行う。
【００６２】
画像ＩＤ付与機能１０４は、画像データ変換機能１０３により第１印刷データを変換した各画像データを識別するための画像ＩＤを付与する機能である。
【００６３】
ドットパターン割当機能１０５は、ドットパターンＤＢ６２から抽出したドットパターンを画像データに割り当てる機能である。ドットパターン割当機能１０５は、各画像データにそれぞれ異なるドットパターンを割り当てることとしてもよい。なお、ドットパターンＤＢ６２は、電子ペン１０が認識可能であり、使用可能なドットパターンを予め膨大に記憶しているものとする。
【００６４】
アドレス情報記憶機能１０６は、画像ＩＤ付与機能１０４が付与した画像ＩＤと、ドットパターン割当機能１０５が割り当てたドットパターンの座標データとを対応付けたアドレス情報を作成し、アドレス情報ＤＢ６４に記憶する機能である。
【００６５】
ここで、アドレス情報ＤＢ６４について、図１１を参照して説明する。図１１は、アドレス情報ＤＢ６４のデータ構造を模式的に示す図である。図示のように、アドレス情報ＤＢ６４は、画像ＩＤ及び座標データから構成されている。ここで、画像ＩＤとは、画像データに付与された識別情報である。また、座標データとは、画像データに割り当てられたドットパターンの位置座標を示す情報である。本実施形態では、各画像データに割り当てられるドットパターンは長方形であるものとし、座標データは当該ドットパターンの左上の頂点座標と右下の頂点座標とで表現されているものとする。なお、本実施形態はこれに限定されるものではなく、ドットパターンの割当方法及び座標データの表現方法は任意に設定できるものとする。
【００６６】
第２印刷データ作成機能１０７は、画像データ変換機能１０３が変換した画像データと、ドットパターン割当機能１０５が割り当てたドットパターンとに基づいて、画像データについてはカーボンを含まないＣＭＹにより、ドットパターンについてはカーボンを含むＫにより紙媒体に印刷するための第２印刷データを作成する機能である。具体的には、ＰＳフォーマットに変換することで、最終的な印刷データである第２印刷データを作成する。また、第２印刷データ作成機能１０７は、作成した第２印刷データを端末装置２５へ送信する機能である。
【００６７】
[帳票製造処理]
次に、上記の製造システム１００により実行される帳票製造処理について説明する。図１２は、帳票製造処理のフローチャートである。
【００６８】
まず、デザイナである利用者は、設計端末５０を使用してデザインを設計する。具体的には、図８に示すような設計図を設計する。設計が完了すると、利用者は、所定の操作により印刷メニューから設計図の印刷を要求する。このとき、設計端末５０は、利用者が設計した設計図を印刷するための第１印刷データを作成し、プリンタ５２に送信する。
【００６９】
ＰＯＤサーバ６０は、設計端末５０がプリンタ５２に送信した第１印刷データをインターセプトにより取得する（ステップＳ１）。そして、取得した第１印刷データを画像データに変換する（ステップＳ２）。このとき、ＰＯＤサーバ６０は、具体的にはＥＰＳフォーマットへの変換及び色調整を行う。画像データへの変換が完了すると、ＰＯＤサーバ６０は、当該画像データに画像ＩＤを付与する（ステップＳ３）。さらに、ＰＯＤサーバ６０は、ドットパターンＤＢ６２から抽出したドットパターンを画像データに割り当てる（ステップＳ４）。また、ＰＯＤサーバ６０は、付与した画像ＩＤと、割り当てたドットパターンの座標データとを対応付けたアドレス情報を作成し、アドレス情報ＤＢ６２に記憶する（ステップＳ５）。
【００７０】
そして、ＰＯＤサーバ６０は、変換した画像データと、割り当てたドットパターンとに基づいて、最終的な印刷データである第２印刷データを作成する。さらに、作成した第２印刷データをプリンタ５２へ送信することで帳票製造処理を完了する（ステップＳ６）。
【００７１】
プリンタ５２は、ＰＯＤサーバ６０から取得した第２印刷データに基づいて、紙媒体に図８に示すような設計図と、割り当てられたドットパターンとを印刷することにより電子ペン用帳票を製造する。
【００７２】
なお、設計端末５０、プリンタ５２及びＰＯＤサーバ６０は、インターネットをはじめとするネットワーク２を介して接続されていることとしてもよい。
【００７３】
従来のシステムでは、設計図を予め製造システム１００に登録しておく必要があった。しかし、デザイナはその都度１点ものの設計図を設計するため、毎回デザイナが、設計図をＰＯＤサーバ６０が認識できる画像フォーマットに変換して登録する作業は運用に耐えることができないという問題が生じていた。なお、このような操作を自動化する方法が考えられるが、図面や設計図を作成するソフトウェアは数多く存在するため、市販されている全てのソフトウェアにその都度対応することは極めて困難であった。
【００７４】
これに対し、本実施形態の製造システム１００によれば、市販されているほぼ全てのソフトウェアが持つ共通機能「印刷」を使用する。また、製造システム１００は、アプリケーションから出力される印刷データをプリンタへ転送する前にインターセプトし、ＰＯＤサーバ６０により、ドットパターンを付与した新たな印刷データをプリンタ５２へ送信する。そのため、一般利用者は、製造システム１００の仕組みを理解することなく、設計した１点もののデザインに基づいて容易にドットパターン付きの電子ペン用帳票を自動出力することができる。また、この機能は、ほぼ全てのソフトウェアが持つ印刷機能を流用するため、アプリケーションの種類毎にその都度対応する必要がなく、汎用的に使用することができる。
【産業上の利用可能性】
【００７５】
このように、本発明によれば、一般利用者がシステムの仕組みを理解することなく、設計したデザインに基づいてドットパターンが印刷された電子ペン用帳票を容易に製造し、利用することができる。
【図面の簡単な説明】
【００７６】
【図１】電子ペンの使用形態を模式的に示す図である。
【図２】電子ペンの構造を示す機能ブロック図である。
【図３】専用ペーパーに印刷されたドットパターンによる情報の表現方法を説明する図である。
【図４】ドットパターン及びそれに対応する情報の例である。
【図５】専用ペーパーにより構成される帳票の構造を示す。
【図６】電子ペン用帳票の例を示す。
【図７】製造システムの概略構成を示す。
【図８】設計図の例である。
【図９】校正システムの概略構成を示す。
【図１０】図７に示す製造システムに含まれるＰＯＤサーバの機能ブロック図である。
【図１１】アドレス情報ＤＢのデータ構造を模式的に示す図である。
【図１２】帳票製造処理のフローチャートである。
【符号の説明】
【００７７】
２…ネットワーク
１０…電子ペン
１１…プロセッサ
１２…メモリ
１３…データ通信ユニット
１４…バッテリー
２５…端末装置
２６…問い合わせサーバ
２７…サービスサーバ
１００…製造システム
【図１】
0004747900.tif 000002
【図２】
0004747900.tif 000003
【図３】
0004747900.tif 000004
【図４】
0004747900.tif 000005
【図５】
0004747900.tif 000006
【図６】
0004747900.tif 000007
【図７】
0004747900.tif 000008
【図８】
0004747900.tif 000009
【図９】
0004747900.tif 000010
【図１０】
0004747900.tif 000011
【図１１】
0004747900.tif 000012
【図１２】
0004747900.tif 000013